(57)【特許請求の範囲】
【請求項１】
布基礎などの連続した基礎が用いられている建物の床下換気方法であって、
土台カバーをブロック状としたインナーカバーとブロック状としたアウターカバーとから構成し、前記インナーカバーと前記アウターカバーとを所定の位置関係に配設することにより、インナーカバーとアウターカバーとの間に空気流路を形成し、
前記インナーカバーは、底部と、該底部の端部から一体的に設けられている側壁部と、該側壁部の上端から一体的に前記底部と反対方向に向けて設けられている水平な上部とを有し、
前記底部の外面は、前記側壁部から先端に向けて下り勾配とされ、
前記側壁部の上部は、傾斜面とされ、
前記アウターカバーは、内面が垂直面とされた台形状の頂部と、該頂部の傾斜している外面下端部から一体的に設けられた傾斜部と、該傾斜部の下端から一体的に設けられた、下端面が前記インナーカバーの底部外面とほぼ同一傾斜とされた垂直部とを有し、
前記頂部内面に、アウターカバーをピース状土台に設けられた取付け部に取り付ける取付けピースを装着する溝が形成され、
それにより、布基礎の立上がり部に換気口を設けることなく、床下の換気を土台全周からなす
ことを特徴とする床下換気方法。
【請求項２】
布基礎などの連続した基礎が用いられている建物の床下換気構造であって、
土台カバーをブロック状としたインナーカバーとブロック状としたアウターカバーとから構成し、前記インナーカバーと前記アウターカバーとを所定の位置関係に配設することにより、インナーカバーとアウターカバーとの間に空気流路が形成され、
前記インナーカバーは、底部と、該底部の端部から一体的に設けられている側壁部と、該側壁部の上端から一体的に前記底部と反対方向に向けて設けられている水平な上部とを有し、
前記底部の外面は、前記側壁部から先端に向けて下り勾配とされ、
前記側壁部の上部は、傾斜面とされ、
前記アウターカバーは、内面が垂直面とされた台形状の頂部と、該頂部の傾斜している外面下端部から一体的に設けられた傾斜部と、該傾斜部の下端から一体的に設けられた、下端面が前記インナーカバーの底部外面とほぼ同一傾斜とされた垂直部とを有し、
前記頂部内面に、アウターカバーをピース状土台に設けられた取付け部に取り付ける取付けピースを装着する溝が形成され、
それにより、布基礎の立上がり部に換気口を設けることなく、床下の換気を土台全周からなすようにされてなる
ことを特徴とする床下換気構造。
【請求項３】
前記空気流路の床下側開口部に目の細かな金網などのネット状部材が設けられてなることを特徴とする請求項２記載の床下換気構造。
【発明の詳細な説明】
【０００１】
【発明の属する技術分野】
本発明は床下換気方法および床下換気構造に関する。さらに詳しくは、通気性を有する土台カバーを用いて床下の換気を行う床下換気方法および床下換気構造に関する。
【０００２】
【従来の技術】
従来より、基礎として布基礎が用いられている住宅では、床下の換気のため図１６および図１７に示すように、布基礎立上り部ａの適宜配置に換気口ｂが設けられている。
【０００３】
しかしながら、従来の床下換気方法あるいは床下換気構造は、布基礎立上り部ａに換気口ｂを点在させて設けていることにより、空気のよどむ個所が生ずるという問題の他に、次のような問題を有している。
【０００４】
（１）配筋の際に換気口ｂのために余分な鉄筋の曲げ加工が生じることに加え、開口部に対する補強用配筋も必要となるため、配筋作業が煩雑となっている。
【０００５】
（２）コンクリート打設の際の流動圧のため、換気口ｂ部の型枠がずれて換気口ｂが所定位置にできなかったり、あるいは換気口ｂ部の型枠が型崩れして換気口ｂが変形したりすることがある。それにともない補修作業が必要となり、作業工程の増大およびコストの増大を招来している。
【０００６】
（３）コンクリート打設後、換気口ｂの目より小さな小動物が床下への侵入することもあり、その防止ための金網ｃの取付けをしなければならず、作業工程が増大するとともに、作業期間の長期化を招来している。また、金網ｃが損傷した場合には、床下に小動物が侵入するという問題もある。
【０００７】
【発明が解決しようとする課題】
本発明はかかる従来技術の課題に鑑みなされたものであって、布基礎立上り部に換気口を設けることなく床下の換気がなし得る床下換気方法および床下換気構造を提供することを主たる目的としている。
【０００８】
【課題を解決するための手段】
本発明の床下換気方法は、布基礎などの連続した基礎が用いられている建物の床下換気方法であって、土台カバーをブロック状としたインナーカバーとブロック状としたアウターカバーとから構成し、前記インナーカバーと前記アウターカバーとを所定の位置関係に配設することにより、インナーカバーとアウターカバーとの間に空気流路を形成し、前記インナーカバーは、底部と、該底部の端部から一体的に設けられている側壁部と、該側壁部の上端から一体的に前記底部と反対方向に向けて設けられている水平な上部とを有し、前記底部の外面は、前記側壁部から先端に向けて下り勾配とされ、前記側壁部の上部は、傾斜面とされ、前記アウターカバーは、内面が垂直面とされた台形状の頂部と、該頂部の傾斜している外面下端部から一体的に設けられた傾斜部と、該傾斜部の下端から一体的に設けられた、下端面が前記インナーカバーの底部外面とほぼ同一傾斜とされた垂直部とを有し、前記頂部内面に、アウターカバーをピース状土台に設けられた取付け部に取り付ける取付けピースを装着する溝が形成され、それにより、布基礎の立上がり部に換気口を設けることなく、床下の換気を土台全周からなすことを特徴とする。
【０００９】一方、本発明の床下換気構造は、布基礎などの連続した基礎が用いられている建物の床下換気構造であって、土台カバーをブロック状としたインナーカバーとブロック状としたアウターカバーとから構成し、前記インナーカバーと前記アウターカバーとを所定の位置関係に配設することにより、インナーカバーとアウターカバーとの間に空気流路が形成され、前記インナーカバーは、底部と、該底部の端部から一体的に設けられている側壁部と、該側壁部の上端から一体的に前記底部と反対方向に向けて設けられている水平な上部とを有し、前記底部の外面は、前記側壁部から先端に向けて下り勾配とされ、前記側壁部の上部は、傾斜面とされ、前記アウターカバーは、内面が垂直面とされた台形状の頂部と、該頂部の傾斜している外面下端部から一体的に設けられた傾斜部と、該傾斜部の下端から一体的に設けられた、下端面が前記インナーカバーの底部外面とほぼ同一傾斜とされた垂直部とを有し、前記頂部内面に、アウターカバーをピース状土台に設けられた取付け部に取り付ける取付けピースを装着する溝が形成され、それにより、布基礎の立上がり部に換気口を設けることなく、床下の換気を土台全周からなすようにされてなることを特徴とする。
【００１０】本発明の床下換気構造においては、例えば、前記空気流路の床下側開口部に目の細かな金網などのネット状部材が設けられてもよい。
【００１２】
【作用】
本発明は前記のごとく構成されているので、布基礎に換気口を設ける必要がなく、また土台カバーを所定位置に配設するだけで外部から床下への空気流路が形成される。そのため、施工性が著しく向上するとともに、換気が土台の全周からなされ、換気効率が向上する。
【００１３】
また、インナーカバーとアウターカバーとの間に形成される空気流路の床下側開口部に金網などのネット状部材が設けられてなるものにあっては、開口部が連続しているところから、網目を従来より細かくでき、小動物の床下への侵入が確実に防止される。
【００１４】
【発明の実施の形態】
以下、添付図面を参照しながら本発明を実施の形態に基づいて説明するが、本発明はかかる実施の形態のみに限定されるものではない。
【００１５】
実施の形態１
本発明の実施の形態１の床下換気構造を図１〜図４に示し、この床下換気構造Ｋは、布基礎Ｂ上面に配設されているピース状土台Ｄを外側から覆っている土台カバー１に通気機能を持たせてなるものである。すなわち、土台カバー１を下部を構成するシェル状体のインナーカバー１０と上部を構成するシェル状体のアウターカバー２０とからなるものとし、そしてこのインナーカバー１０とアウターカバー２０との間に外部から床下に連通する空気流路２を形成して通気性を持たせてなるものである。なお、本明細書における「シェル状体のカバー」とは、カバーが殻状に構成されていることを意味している。
【００１６】
具体的には、シェル状体のインナーカバー１０は、図１〜図３に示すように、傾斜している第１底面１１ａと、この第１底面１１ａの上端１１ｂから一体的に設けられている水平な第２底面１１ｃと、この第２底面１１ｃの他端１１ｄから一体的に設けられている第１側面１１ｅと、この第１側面１１ｅの上端１１ｆから一体的に第２底面１１ｃと反対方向に傾斜させて設けられている第２側面１１ｇと、この第２側面１１ｇの上端１１ｈから一体的に第２底面１１ｃと反対方向に向けて設けられている水平な上面１１ｉとを主要外面１１として有している。そして、このインナーカバー１０は、布基礎Ｂ上面に第１底面１１ａ部と第２底面１１ｃ部との境を布基礎Ｂ上面の外側角部に一致させて載置される。ここで、第１底面１１ａ部の布基礎Ｂ外面からの突出長さは、布基礎Ｂ外面の仕上げモルタルＣの厚さに一致させられている。
【００１７】
また、インナーカバー１０の内側には耐火性ボード３を装着するためのボード装着部１２が設けられている。このボード装着部１２は、下部保持部１３および上部保持部１４からなるものとされる。そして、図１および図２に示すように、この下部保持部１３は、布基礎Ｂ上面に載置される断面がＵ字状の溝型部材１５とされるとともに、この溝型部材１５の第１側面１１ｅ側の側壁（以下、外側側壁といい、これと対向している側壁を内側側壁という）１５ａ上端から一体的に設けられている接続部材１６により、第１側面１１ｅ部の内面１８ａに接続されている。一方、上部保持部１４は、上面１１ｉ部の内面１８ｂの前記溝型部材１５の内側側壁１５ｂに対応する位置から垂下されているガイド部材１７と、第２側面１１ｇ部の上端１１ｈに前記溝型部材１５の外側側壁１５ａの内面位置に対応させて形成された垂直な内面１８ｃとを中心に構成されている。
【００１８】
なお、かかる構成とされているインナーカバー１０は、例えば耐候性を有する合成樹脂を押出し成形することにより得られる。
【００１９】
アウターカバー２０は、図２および図４に示すように、第１垂直面２１ａと、この第１垂直面２１ａの下端２１ｂから一体的に設けられている上面２１ｃと、この上面２１ｃの他端（先端）２１ｄから一体的に下方に傾斜させ、かつ下端２１ｆを布基礎Ｂの外側角部に一致させて設けられている傾斜側面２１ｅと、この傾斜側面２１ｅの下端２１ｆから一体的に設けられている第２垂直面２１ｇとを主要外面２１として有している。そして、アウターカバー２０は、図１および図２に示すように、外壁パネルＰの下端に密接させてピース状土台Ｄに設けられた取付け部材４に、前記第１垂直面２１ａ部が、例えばビス留めされることにより取付けられる。また、第２垂直面２１ｇは、アウターカバー２０が取付け部材４に取付けられた際に、インナーカバー１０の第２底面１１ｃとの間に所定の隙間が確保されるようその幅が調整されている。
【００２０】
また、アウターカバー２０の内側には、インナーカバー１０の内側と同様に、耐火性ボード３を装着するためのボード装着部２２が設けられている。このボード装着部２２は、下部保持部２３および上部保持部２４からなるものとされる。そして、図２および図４に示すように、この下部保持部２３は、断面がＵ字状の溝型部材２５とされるとともに、この溝型部材２５の傾斜側面２１ｅ側の側壁（以下、外側側壁といい、これと対向している側壁を内側側壁という）２５ａ下端から一体的に設けられている接続部材２６により、傾斜側面２１ｅ部の内面２７ａに接続されている。一方、上部保持部２４は上面２１ｃ部の内面２７ｂの前記溝型部材２５の内側側壁２５ｂに対応する位置から垂下されているガイド部材２８と、傾斜側面２１ｅ部の上端部に前記溝型部材２５の外側側壁２５ａの内面位置に対応させて形成された垂直な内面２７ｃとを中心に構成されている。そして、この下部保持部２３を構成している溝型部材２５は、アウターカバー２０が取付け部材４に取付けられた際に、インナーカバー１０の上面１１ｉと所定の隙間が確保されるようその接続位置が調整されている。
【００２１】
なお、かかる構成とされているアウターカバー２０は、インナーカバー１０同様、例えば耐候性を有する合成樹脂を押出し成形することにより得られる。
【００２２】
しかして、かかる構成とされているインナーカバー１０が布基礎Ｂ上面に載置され、アウターカバー２０が取付け部材４に取付けられると、図１および図２に示すように、インナーカバー１０とアウターカバー２０との間に外部から床下（明瞭には図示されていない）へ連通する空気流路２が形成される。この空気流路２を通過する空気量は、インナーカバー１０の第１側面１１ｅの上端１１ｆに垂設された第１流量制御片１９ａおよびこの第１流量制御片１９ａに対応させてアウターカバー２０の第２垂直面２１ｇ部の内面２７ｄに垂設された第２流量制御片２９、ならびにインナーカバー１０の上面１１ｉの第２側面１１ｇ部との接続部がアウターカバー２０に向けて水平に延伸されている第３流量制御片１９ｂにより制御される。また、このインナーカバー１０とアウターカバー２０とからなる土台カバー１の端部には、図１に示すようにエンドカバー５が装着される。さらに、この空気流路２から小動物が床下に侵入するのを防止するため、この空気流路２の床下に開口している開口部には金網６が取付けられている。この場合、取付けられる金網６の網目は開口部が連続しているので、従来の金網より網目を細かくできる。
【００２３】
このように、この実施の形態１によれば、布基礎Ｂの立上り部に換気口を設けることなく床下の換気をなすことができるばかりでなく、換気が土台全周からなされるので空気のよどむ個所がなくなり換気効率が向上する。しかも、換気のための空気流路２の形成は、インナーカバー１０を布基礎Ｂに載置するとともに、アウターカバー２０を取付け部材４に取付けるだけでなされるので、作業工程が著しく短縮されるとともに、コストも著しく低減される。また、金網６の網目が従来より細かくされているので、小動物の床下への侵入も確実に防止される。さらに、第１底面１１ａの布基礎Ｂ外面からの突出長さが布基礎Ｂ外面の仕上げモルタルＣの厚さに一致させられているので、この第１底面１１ａ部を仕上げモルタルＣの施工時において定規とすることができ、作業性あるいは施工性が向上する。
【００２４】
実施の形態２
本発明の実施の形態２の床下換気構造を図５〜図７に示し、この床下換気構造Ｋは、実施の形態１を改変したものであって、土台カバー１Ａのアウターカバー２０の下部保持部２３を構成している溝型部材２５の底部に、この溝方向に一致させて櫛の歯状部材２５ｄ，２５ｄ，２５ｄ，…を一体的に設けるとともに、インナーカバー１０の上面１１ｉを利用してこの櫛の歯状部材２５ｄ，２５ｄ，２５ｄ，…を受けるＵ字状受け部Ｅを一体的に形成してなるものである。つまり、上面１１ｉの両脇に垂直な内側側壁１７ａおよび外側側壁１９ｃを設けてＵ字状受け部Ｅとしてなるものである。なお、櫛の歯状部材２５ｄ，２５ｄ，２５ｄ，…の受け部Ｅの外側側壁１９ｃが当接する個所は適宜切欠２５ｅが設けられていて、アウターカバー２０の取付け部材４への取付けおよび櫛の歯状部材２５ｄ，２５ｄ，２５ｄ，…の受け部Ｅへの載置が支障のないようにされている。また、図５〜図７において、実施の形態１と同一の構成要素については、図１〜図４と同一の符号が付されている。
【００２５】
この実施の形態２の作用および効果は、実施の形態１と同様である。
【００２６】
実施の形態３
本発明の実施の形態３の床下換気構造を図８〜図１０に示し、この床下換気構造Ｋは、実施の形態１を改変したものであって、土台カバー１Ｂのインナーカバー３０およびアウターカバー４０を鋼板製とするとともに、それにともない実施の形態１などにおいてインナーカバー１０およびアウターカバー２０の各内側に設けられていたボード装着部１２，２２を廃止してなるものである。
【００２７】
具体的には、インナーカバー３０は、図９に示すように、傾斜している第１底面３１ａと、この第１底面３１ａの上端３１ｂから一体的に設けられている水平な第２底面３１ｃと、この第２底面３１ｃの他端３１ｄから一体的に設けられている第１側面３１ｅと、この第１側面３１ｅの上端３１ｆから一体的に第２底面３１ｃと反対方向に傾斜させて設けられている第２側面３１ｇと、この第２側面３１ｇの上端３１ｈから一体的に第２底面３１ｃと反対方向に向けて設けられている水平な上面３１ｉと、この上面３１ｉの他端３１ｊから下方に一体的に設けられている垂直面３１ｋとを主要外面３１として有している。そして、このインナーカバー３０は、布基礎Ｂ上面に第１底面３１ａ部と第２底面３１ｃ部との境を布基礎Ｂ上面の外側角部に一致させて載置される。ここで、第１底面３１ａ部の布基礎Ｂ外面からの突出長さは、実施の形態１と同様、布基礎Ｂ外面の仕上げモルタルＣの厚さに一致させられている。
【００２８】
なお、かかる構成とされているインナーカバー３０は、例えば鋼板を折り曲げ成形することにより得られる。
【００２９】
アウターカバー４０は、図１０に示すように、第１垂直面４１ａと、この第１垂直面４１ａの下端４１ｂから一体的に設けられている上面４１ｃと、この上面４１ｃの他端（先端）４１ｄから一体的に下方に傾斜させ、かつ下端４１ｆを布基礎Ｂの外側角部に一致させて設けられている傾斜側面４１ｅと、この傾斜側面４１ｅの下端から一体的に設けられている第２垂直面４１ｇと、この第２垂直面４１ｇの下端４１ｈから斜め上方に一体的に設けられている案内面４１ｉとを主要外面４１として有している。そして、アウターカバー４０は、ピース状土台Ｄに設けられた取付け部材４に、前記第１垂直面４１ａ部が、例えばビス留めされることにより取付けられる。また、第２垂直面４１ｇは、アウターカバー４０が取付け部材４に取付けられた際に、インナーカバー３０の第２底面３１ｃとの間に所定の流路高さが確保されるようその幅が調整されている。
【００３０】
また、このアウターカバー４０の内側には、インナーカバー３０の上面３１ｉと協働して空気流路２を形成する流路形成部材４２が設けられている。この流路形成部材４２は、具体的には、第１垂直面４３ａと、この第１垂直面４３ａの下端４３ｂから一体的に設けられている水平面４３ｃと、この水平面４３ｃの他端４３ｄからアウターカバー４０の傾斜側面４１ｅに傾斜を一致させて傾斜させられている小傾斜面４３ｅと、この小傾斜面４３ｅの下端４３ｆから内側下方に向けて一体的に設けられている逆傾斜面４３ｇと、この逆傾斜面４３ｇの下端４３ｈから上方に向けて一体的に設けられている第２垂直面４３ｉとを外面４３として有している。そして、この流路形成部材４２は、小傾斜面４３ｅをアウターカバー４０の傾斜面４１ｅ部の内面４４ａに、接合させることによりアウターカバー４０に取付けられている。この場合、水平面４３ｃ部の内面４５ａとインナーカバー３０の上面３１ｉとの間に所定の流路高さが確保されるよう流路形成部材４２の取付け位置が調整され、また第１垂直面４１ａ部の位置は、アウターカバー４０が取付け部材４に取付けられた際に、インナーカバー３０の垂直面３１ｋの真上に位置するようにされている。
【００３１】
なお、かかる構成とされているアウターカバー４０と流路形成部材４２とは、例えば鋼板を折り曲げ成形することにより得られる。
【００３２】
しかして、かかる構成とされているインナーカバー３０が布基礎Ｂ上面に載置され、かつアウターカバー４０が取付け部材４に取付けられると、図８に示すように、インナーカバー３０とアウターカバー４０との間に外部から床下（明瞭には図示されていない）へ連通する空気流路２が形成される。この空気流路２を通過する空気量は、インナーカバー３０の第２側面３１ｇおよびアウターカバー４０の流路形成部材４２の第２垂直面４３ｉにより制御される。また、このインナーカバー３０とアウターカバー４０とからなる土台カバーＤの端部には、図８に示すようにエンドカバー５が装着される。さらに、この空気流路２から小動物が床下に侵入するのを防止するため、この空気流路２の床下に開口している開口部にも金網６が取付けられている。この場合も、取付けられる金網６の網目は開口部が連続しているので、従来の金網より網目を細かくできる。
【００３３】
このように、この実施の形態３によれば、布基礎Ｂの立上り部に換気口を設けることなく床下の換気をなすことができる。しかも、その空気流路２の形成は、インナーカバー３０を布基礎Ｂに載置するとともに、アウターカバー４０を取付け部材４に取付けるだけで形成されるので、作業工程が著しく短縮されるとともに、コストも著しく低減される。この場合、耐火性ボード３をインナーカバー３０およびアウターカバー４０の内側に装着する必要がないので、施工が一段と簡素化される。また、金網６の網目が従来より細かくされているので、小動物の床下への侵入も確実に防止される。さらに、第１底面３１ａの布基礎Ｂ外面からの突出長さが布基礎Ｂ外面の仕上げモルタルＣの厚さに一致させられているので、この第１底面３１ａを仕上げモルタルＣの施工の際における定規とすることができ、作業性あるいは施工性が向上する。
【００３４】
実施の形態４
本発明の実施の形態４の床下換気構造Ｋを図１１〜図１３に示す。実施の形態１〜実施の形態３においては、インナーカバー１０，３０およびアウターカバー２０，４０はシェル状体とされているが、この実施の形態４おいては、土台カバー１Ｃのインナーカバー５０およびアウターカバー６０は耐火性を有する素材からなるブロック状体とされている。
【００３５】
具体的には、インナーカバー５０は、底部５１とこの底部５１の端部から一体的に設けられている側壁部５２と、この側壁部５２の上端から一体的に底部５１と反対方向に向けて設けられている水平な上部５３とを主要部としてなる。そして、底部外面５１ａは側壁部５２側から他端（先端）５１ｂに向けて下り勾配とされ、また側壁部５２の外面上部は傾斜面５２ａとされている。
【００３６】
アウターカバー６０は、内面６１ａが垂直面とされた台形状の頂部６１と、この台形状の頂部６１の傾斜している外面６１ｂ下端部から一体的に設けられた傾斜部６２と、この傾斜部６２の下端から一体的に設けられた、下端面６３ａがインナーカバー５０の底部外面５１ａとほぼ同一の傾斜角とされている垂直部６３とを主要部としてなる。そして、頂部６１の内面の適宜位置には、アウターカバー６０を取付け部材４に取付けるための取付けピース６４を装着するための溝６５が形成されている。この溝６５の断面は、図１３に示すように、横Ｔ字状とされている。なお、明瞭には図示されていないが、この溝に取付けピース６４のこの溝の断面形状に対応させた形状とされている装着部材が摺動自在に装着されている。
【００３７】
しかして、かかる構成とされているインナーカバー５０が布基礎Ｂ上面に載置され、アウターカバー６０が取付け部材４に取付けられると、図１１に示すように、インナーカバー５０とアウターカバー６０との間に外部から床下（明瞭には図示されていない）へ連通する所望幅の空気流路２が形成される。また、このインナーカバー５０とアウターカバー６０とからなる土台カバー１の端部には、図１１に示すようにエンドカバー５が装着される。さらに、この空気流路２から小動物が床下に侵入するのを防止するため、この空気流路２の床下に開口している開口部にも金網６が取付けられている。この場合も、取付けられる金網６の網目は開口部が連続しているので、従来の金網より網目を細かくできる。
【００３８】
このように、この実施の形態４によれば、布基礎Ｂの立上り部に換気口を設けることなく床下の換気をなすことができる。しかも、そのための空気流路２の形成は、インナーカバー５０を布基礎Ｂに載置するとともに、アウターカバー６０を取付け部材４に取付けるだけで形成されるので、作業工程が著しく短縮されるとともに、コストも著しく低減される。この場合、耐火性ボード３をインナーカバー５０およびアウターカバー６０の内側に装着する必要がないので、施工が一段と簡素化される。また、金網６の網目が従来より細かくされているので、小動物の床下への侵入も確実に防止される。
【００３９】
実施の形態５
本発明の実施の形態５にかかる床下換気構造を図１４に示し、この床下換気構造Ｋは、シェル状体の土台カバー１Ｄの適宜位置に通気孔７，７，７，…を形成してなるものである。
【００４０】
具体的には、この土台カバー１Ｄは、第１垂直面７１ａと、この第１垂直面７１ａの下端７１ｂから一体的に設けられている第１傾斜面７１ｃと、この第１傾斜面７１ｃの下端７１ｄから一体的に設けられている第２垂直面７１ｅと、この第２垂直面７１ｅの下端７１ｆから第１垂直面７１ａ側に向けて一体的に設けられている第１水平面７１ｇと、この第１水平面７１ｇの他端７１ｈから一体的に垂下されている第３垂直面７１ｉと、この第３垂直面７１ｉの下端７１ｊから一体的に第１水平面７１ｇに平行に設けられている第２水平面７１ｋと、この第２水平面７１ｋの他端７１ｍから一体的に垂下されている第４垂直面７１ｎと、この第４垂直面７１ｎの下端７１ｏから第１傾斜面７１ｃと同一方向に傾斜させられて一体的に設けられている第２傾斜面７１ｐと、この第２傾斜面７１ｐの下端７１ｑから一体的に垂下されている第５垂直面７１ｒと、この第５垂直面７１ｒの下端７１ｓから一体的に第２水平面７１ｋ側に向けて第５垂直面７１ｒとのなす角が鋭角となるように設けられている第３傾斜面７１ｔとを主要外面７１として有しているシェル状体とされている。ここで、第５垂直面７１ｒは、土台カバー１Ｄがピース状土台Ｄに取付けられた際、布基礎Ｂの外側上端部を覆うようにその位置およびサイズが調整されている。また、第３傾斜面７１ｔが第５垂直面７１ｒとのなす角が鋭角とされているので、雨水は第３傾斜面７１ｔを遡ることなく、第５垂直面下端７１ｓから地上に落下する。
【００４１】
なお、かかる構成の土台カバー１Ｄは、例えば鋼板を折り曲げ成形することにより得られる。
【００４２】
そして、この第１水平面７１ｇに、図１５（ａ）に示すように、例えば８ｍｍφの通気孔７が例えば１２ｍｍピッチで設けられ、また図１５（ｂ）に示すように、第３傾斜面７１ｔに、例えば１０ｍｍφの通気孔７が例えば１５ｍｍピッチで設けられる。
【００４３】
しかして、かかる構成とされている土台カバー１Ｄは、第１垂直面部７１ａを外壁パネルＰのピース状土台Ｄの上部まで降下している下端部背面Ｐａに位置させて、第３垂直面７１ｉ部をピース状土台Ｄまたはピース状土台Ｄ，Ｄ間に設けられている取付け部材（図示省略）に、例えばビス留めされることにより取付けられる。これにより、通気孔７，７，７，…およびピース状土台Ｄ，Ｄ間を介して外部と床下（明瞭には図示されていない）との換気がなされる。なお、この場合、毛細管現象により外壁パネルＰの下端部背面Ｐａと第１垂直面７１ａ間に雨水が進入するおそれがあるので、第１垂直面７１ａの適宜位置、例えば上端に水返し７２が設けられている。
【００４４】
このように、この実施の形態５によれば、布基礎Ｂの立上り部に換気口を設けることなく床下の換気をなすことができる。しかも、その空気流路の形成は、土台カバー１Ｄをピース状土台Ｄや取付け部材に取付けるだけで形成されるので、作業工程が著しく短縮されかつコストも著しく低減される。この場合も、耐火性ボードを装着する必要がないので、施工が一段と簡素化される。
【００４５】
【発明の効果】
以上詳述したように、本発明によれば、布基礎に換気口を設けることなく床下の換気がなし得、しかもその換気が土台全周にわたってなされるので、空気のよどむ個所がなくなり換気効率が向上するという優れた効果が得られる。また、その際の空気流路は、土台カバーをピース状土台またはピース状土台に設けられた取付け部材に、ビス留めなどにより取付けるだけで形成されるので、作業工程が著しく簡素され、かつ施工コストも著しく低減されるという優れた効果が得られる。
【図面の簡単な説明】
【図１】本発明の実施の形態１にかかる床下換気構造のエンドカバーを分離して示す斜視図である。
【図２】同横方向断面図である。
【図３】同床下換気構造に用いられるインナーカバーの斜視図である。
【図４】同床下換気構造に用いられるアウターカバーの斜視図である。
【図５】本発明の実施の形態２にかかる床下換気構造のエンドカバーを分離して示す斜視図である。
【図６】同床下換気構造に用いられるインナーカバーの斜視図である。
【図７】同床下換気構造に用いられるアウターカバーの斜視図である。
【図８】本発明の実施の形態３にかかる床下換気構造のエンドカバーを分離して示す斜視図である。
【図９】同床下換気構造に用いられるインナーカバーの斜視図である。
【図１０】同床下換気構造に用いられるアウターカバーの斜視図である。
【図１１】本発明の実施の形態４にかかる床下換気構造のエンドカバーを分離して示す斜視図である。
【図１２】同床下換気構造に用いられるインナーカバーの斜視図である。
【図１３】同床下換気構造に用いられるアウターカバーの斜視図である。
【図１４】本発明の実施の形態５にかかる床下換気構造の横方向断面図である。
【図１５】同実施の形態における通気孔の配列を示す説明図であって、同（ａ）は上部のものを示し、同（ｂ）は下部のものを示す。
【図１６】従来の換気口が設けられている布基礎の部分正面図である。
【図１７】同横方向断面図である。
【符号の説明】
１                土台カバー
２                空気流路
３                耐火性ボード
４                取付け部材
５                エンドカバー
６                金網
７                通気孔
１０，３０，５０    インナーカバー
２０，４０，６０    アウターカバー
Ｋ                床下換気構造
Ｄ                ピース状土台
Ｂ                布基礎
Ｃ                仕上げモルタル
Ｐ                外壁パネル
【図１】
0003554785.tif 000002
【図２】
0003554785.tif 000003
【図３】
0003554785.tif 000004
【図４】
0003554785.tif 000005
【図５】
0003554785.tif 000006
【図６】
0003554785.tif 000007
【図７】
0003554785.tif 000008
【図８】
0003554785.tif 000009
【図９】
0003554785.tif 000010
【図１０】
0003554785.tif 000011
【図１１】
0003554785.tif 000012
【図１２】
0003554785.tif 000013
【図１３】
0003554785.tif 000014
【図１４】
0003554785.tif 000015
【図１５】
0003554785.tif 000016
【図１６】
0003554785.tif 000017
【図１７】
0003554785.tif 000018